【手続補正書】
【提出日】平成19年6月4日(2007.6.4)
【手続補正１】
【補正対象書類名】明細書
【補正対象項目名】特許請求の範囲
【補正方法】変更
【補正の内容】
【特許請求の範囲】
【請求項１】
音楽記憶装置内に存在するコード化された音声ファイルを解読及び再生するためのユニバーサル圧縮音声プレーヤーであって、
その音声ファイルをコード化するのに使用された特定のコード化アルゴリズムに関わらずその音声ファイルを解読及び再生可能であり、
（ａ）解読されるべき圧縮された音声ファイルを含む音楽記憶装置と、
（ｂ）前記圧縮された音声ファイルを解読ソフトウェアプログラムの指示の下に解読して解読信号を発生することのできるプログラム可能なデジタル信号プロセッサと、
（ｃ）前記デジタル信号プロセッサを作動させる少なくとも一つの解読ソフトウェアプログラムと、
（ｄ）前記解読ソフトウェアプログラムを記憶するためのメモリー手段と、
（ｅ）外部メモリーから前記メモリー手段内へ前記解読ソフトウェアプログラムを読み込むための手段と、
（ｆ）前記解読信号をアナログ音声信号へ変換するためのデジタルアナログ変換器と、
を有するユニバーサル圧縮音声プレーヤー。
【請求項２】
前記メモリー手段から前記外部メモリーへ移動可能で消去不能な著作権保護インジケータをさらに有している請求項１に記載のユニバーサル圧縮音声プレーヤー。
【請求項３】
前記消去不能な著作権保護インジケータがシリアルナンバーである請求項２に記載のユニバーサル圧縮音声プレーヤー。
【請求項４】
前記メモリー手段が不揮発性であり、初期段階において、ＣＤＤＡコードを解読可能な解読ソフトウェアプログラムを含んでいる請求項１に記載のユニバーサル圧縮音声プレーヤー。
【請求項５】
前記メモリー手段が不揮発性であり、初期段階において、ＭＰＥＧコードを解読可能な解読ソフトウェアプログラムを含んでいる請求項４に記載のユニバーサル圧縮音声プレーヤー。
【請求項６】
音楽記憶装置内に存在するコード化された音声ファイルを解読及び再生するためのユニバーサル圧縮音声プレーヤーであって、
その音声ファイルをコード化するのに使用された特定のコード化アルゴリズムに関わらずその音声ファイルを解読及び再生可能であり、
（ａ）解読されるべき圧縮された音声ファイルを含む音楽記憶装置と、
（ｂ）前記圧縮された音声ファイルを解読ソフトウェアプログラムの指示の下に解読して解読信号を発生することのできるプログラム可能なデジタル信号プロセッサと、
（ｃ）前記デジタル信号プロセッサを作動させる少なくとも一つの解読ソフトウェアプログラムと、
（ｄ）前記デジタル信号プロセッサを作動させる前記解読ソフトウェアプログラムを含む不揮発性メモリーと、
（ｅ）外部メモリーから前記不揮発性メモリー内へ前記解読ソフトウェアプログラムを読み込むための手段と、
（ｆ）前記解読信号をアナログ音声信号へ変換するためのデジタルアナログ変換器と、
（ｇ）前記アナログ音声信号を音へと変換するための音再生手段と、
を有するユニバーサル圧縮音声プレーヤー。
【請求項７】
前記外部メモリーへ移動可能で消去不能な著作権保護インジケータをさらに有している請求項６に記載のユニバーサル圧縮音声プレーヤー。
【請求項８】
前記音再生手段がスピーカである請求項６に記載のユニバーサル圧縮音声プレーヤー。
【請求項９】
前記音再生手段がイヤホンである請求項６に記載のユニバーサル圧縮音声プレーヤー。
【請求項１０】
前記不揮発性メモリーが、初期段階において、ＣＤＤＡコードを解読可能な解読ソフトウェアプログラムを含んでいる請求項６に記載のユニバーサル圧縮音声プレーヤー。
【請求項１１】
前記不揮発性メモリーがＭＰＥＧコードを解読可能な解読ソフトウェアプログラムさらに有している請求項１０に記載のユニバーサル圧縮音声プレーヤー。
【請求項１２】
音楽記憶装置内に存在するコード化された音声ファイルを解読及び再生するためのユニバーサル圧縮音声プレーヤーであって、
その音声ファイルをコード化するのに使用された特定のコード化アルゴリズムに関わらずその音声ファイルを解読及び再生可能であり、
（ａ）解読されるべき圧縮された音声ファイルを含む音楽記憶装置と、
（ｂ）前記圧縮された音声ファイルを解読ソフトウェアプログラムの指示の下に解読して解読信号を発生することのできるプログラム可能なデジタル信号プロセッサと、
（ｃ）前記デジタル信号プロセッサを作動させる少なくとも一つの解読ソフトウェアプログラムと、
（ｄ）前記デジタル信号プロセッサを作動させる前記解読ソフトウェアプログラムを含む不揮発性メモリーと、
（ｅ）外部メモリーから前記不揮発性メモリー内へ前記解読ソフトウェアプログラムを読み込むための手段と、
（ｆ）前記解読信号をアナログ音声信号へ変換するためのデジタルアナログ変換器と、
（ｇ）前記アナログ音声信号を音へと変換するための音再生手段と、
（ｈ）前記外部メモリーへ移動可能で消去不能な著作権保護インジケータと、
を有するユニバーサル圧縮音声プレーヤー。
【請求項１３】
前記音再生手段がスピーカである請求項１２に記載のユニバーサル圧縮音声プレーヤー。
【請求項１４】
前記音再生手段がイヤホンである請求項１２に記載のユニバーサル圧縮音声プレーヤー。
【請求項１５】
前記不揮発性メモリーが、初期段階において、ＣＤＤＡコードを解読可能な解読ソフトウェアプログラムを含んでいる請求項１２に記載のユニバーサル圧縮音声プレーヤー。
【請求項１６】
前記不揮発性メモリーがＭＰＥＧコードを解読可能な解読ソフトウェアプログラムさらに有している請求項１５に記載のユニバーサル圧縮音声プレーヤー。
【請求項１７】
前記著作権保護インジケータがシリアルナンバーである請求項１２に記載のユニバーサル圧縮音声プレーヤー。
【請求項１８】
外部メモリーに格納されている著作権保護インジケータに応じて、前記外部メモリー内のソフトウェアプログラムをアップグレードするステップを備えることを特徴とするソフトウェアプログラムのアップグレード方法。
【請求項１９】
前記ソフトウェアプログラムは解読ソフトウェアプログラムを含むことを特徴とする請求項１８に記載のソフトウェアプログラムのアップグレード方法。
【請求項２０】
装置内の著作権保護インジケータを外部メモリーに格納するステップを備え、
前記著作権保護インジケータは、前記外部メモリーに格納されたソフトウェアプログラムをアップグレードできるか否かと対応付けられていることを特徴とするソフトウェアプログラムのアップグレード方法。
【手続補正２】
【補正対象書類名】明細書
【補正対象項目名】００１８
【補正方法】変更
【補正の内容】
【００１８】
音楽記憶装置内に存在するコード化された音声ファイルを解読及び再生することのできるユニバーサル圧縮音声プレーヤーは、音楽記憶装置内に存在するコード化された音声ファイルを解読及び再生するためのユニバーサル圧縮音声プレーヤーであって、その音声ファイルをコード化するのに使用された特定のコード化アルゴリズムに関わらずその音声ファイルを解読及び再生可能であり、（ａ）解読されるべき圧縮された音声ファイルを含む音楽記憶装置と、（ｂ）前記圧縮された音声ファイルを解読ソフトウェアプログラムの指示の下に解読して解読信号を発生することのできるプログラム可能なデジタル信号プロセッサと、（ｃ）前記デジタル信号プロセッサを作動させる少なくとも一つの解読ソフトウェアプログラムと、（ｄ）前記解読ソフトウェアプログラムを記憶するためのメモリー手段と、（ｅ）外部メモリーから前記メモリー手段内へ前記解読ソフトウェアプログラムを読み込むための手段と、（ｆ）前記解読信号をアナログ音声信号へ変換するためのデジタルアナログ変換器と、を有する。
前記ユニバーサル圧縮音声プレーヤーは、（ｇ）前記アナログ音声信号を音へと変換するための音再生手段を更に有しても良い。
前記ユニバーサル圧縮音声プレーヤーは、（ｈ）前記外部メモリーへ移動可能で消去不能な著作権保護インジケータを更に有しても良い。
この発明の別の側面によれば、ソフトウェアプログラムのアップグレード方法は、外部メモリーに格納されている著作権保護インジケータに応じて、前記外部メモリー内のソフトウェアプログラムをアップグレードするステップを備える。
また、ソフトウェアプログラムのアップグレード方法において、前記ソフトウェアプログラムは解読ソフトウェアプログラムを含む。
また、ソフトウェアプログラムのアップグレード方法は、装置内の著作権保護インジケータを外部メモリーに格納するステップを備え、前記著作権保護インジケータは、前記外部メモリーに格納されたソフトウェアプログラムをアップグレードできるか否かと対応付けられている。